(57)【要約】  長手軸（Ｌ１）を有して、注射器（１００）に取り付けられる注射針アッセンブリ（２００）であって、注射針ハブ本体（２１０）の第１端部（２１０ａ）に、注射器（１００）の取り付け部（１１０）受容するシリンジコネクタ（２１２）を、反対側の第２端部（２１０ｂ）に針受容部（２１４）を、それぞれ有する注射針ハブ本体（２１０）と、針受容部（２１４）から延びる注射針（２１６）を備え、シリンジコネクタ（２１２）は、注射器の取り付け部（１１０）の少なくとも遠位端（１１０ｂ）を受容する、実質的に円錐形をなす受容開口部（２１８）を有し、長手軸（Ｌ１）に沿って測った開口部（２１８）の長さ（Ａ）は、およそ６．１＋０．０５ｍｍである注射針アッセンブリ（２００）。【選択図】図１
2016539765.tif 000002
【特許請求の範囲】
【請求項１】
注射針ハブ本体（２１０）であって、当該本体（２１０）の第１端部（２１０ａ）に注射器（１００）の取り付け部（１１０）を受容するためのシンリジコネクタ（２１２）を有するとともに、当該本体（２１０）の反対側の第２端部（２１０ｂ）に注射針受容部（２１４）を有する、注射針ハブ本体（２１０）と、
前記注射針受容部（２１４）から延びる注射針（２１６）と、
を備える、長手軸（Ｌ１）を有する、注射器（１００）用の注射針ハブアッセンブリ（２００）であって、
前記シリンジコネクタ（２１２）は、少なくともその遠位端（１１０ｂ）に、注射器の取り付け部（１１０）を受容するための実質的に円錐形状の受容開口部（２１８）を有するとともに、前記長手軸（Ｌ１）に沿って測った前記開口部（２１８）の長さ（Ａ）は、３ｍｍから７ｍｍの間、例えば、およそ６．１＋０．０５ｍｍである、
注射針ハブアッセンブリ（２００）。
【請求項２】
前記シリンジコネクタ（２１２）の受容開口部（２１８）の上面（２２２）は、前記長手軸（Ｌ１）に沿って、前記注射針（２１６）から離れる方向に、前記上面（２２２）からおよそ０．２ｍｍ延びる凸中央部（２２６）を有する、
請求項１に記載の注射針ハブアッセンブリ（２００）。
【請求項３】
前記受容開口部（２１８）の入口領域（２２０）は、およそ４．３１５ｍｍから０．０４５ｍｍの断面寸法（Ｄ）を有する、
請求項１または２に記載の注射針ハブアッセンブリ（２００）。
【請求項４】
入口領域周囲（２２０ａ）と上面周囲（２２２ａ）の間にわたる前記受容開口部（２１８）の内周壁（２２４）は、入口領域（２２０）から上面（２２２）に向かって６％細くなっている、
請求項１から３のいずれか一項に記載の注射針ハブアッセンブリ。
【請求項５】
前記シリンジコネクタ（２１２）は、６％のルアーテーパーを有する、
請求項１から４のいずれか一項に記載の注射針ハブアッセンブリ（２００）。
【請求項６】
前記注射針は、２０Ｇから３５Ｇの一つ、例えば、３３Ｇｘ１３ｍｍ（２１６）である、
請求項１から５のいずれか一項に記載の注射針ハブアッセンブリ（２００）。
【請求項７】
前記注射器（１００）の近位端（１００ａ）と遠位端（１００ｂ）の間を長手軸方向に延びる注射筒（３００）であって、前記注射針ハブアッセンブリ（２００）を取り付けるための取り付け部（１１０）を備える、注射筒（３００）と、
前記注射筒（３００）内に摺動可能に受容されるプランジャー（４００）であって、当該プランジャー（４００）の遠位端（４００ｂ）に配置されるとともに、少なくとも前記取り付け部（１１０）の内側（１１２）に組み付けられるように構成されたシーリングエレメント（４１０）を備える、プランジャー（４００）と、を備え、
前記シリンジコネクタ（２１２）、前記取り付け部（１１０）及び前記シーリングエレメント（４１０）は、互いに組合わされて、前記プランジャー（４００）が、前記注射筒（３００）に完全に挿入されたとき、前記シリンジコネクタ（２１２）、前記取り付け部（１１０）及び前記シーリングエレメント（４１０）によって囲まれるスペース（５００）が、３０μｌ未満の体積になるように構成された、
請求項１から６のいずれか一項に記載の注射針ハブアッセンブリ（２００）を備える、長手軸（Ｌ２）を有する注射器（１００）。
【請求項８】
前記スペース（５００）が、４μｌから３０μｌの間、例えば１４μｌの体積を有する、
請求項７に記載の注射器。
【請求項９】
前記注射針ハブ本体（２１０）の素材は、前記注射器（１００）の素材、少なくとも、前記注射器（１００）の取り付け部（１１０）の素材よりも高い硬さを有する、
請求項７または８に記載の注射器。
【請求項１０】
前記注射器（１００）、又は少なくとも前記注射器（１００）の取り付け部（１１０）は、ポリプロピレン製であり、前記注射針ハブ本体（２１０）は、ポリカーボネート製である、
請求項７から９のいずれか一項に記載の注射器。
【請求項１１】
前記取り付け部（１１０）の長さ（ｌ）は、少なくとも、７．５ｍｍ、好ましくは、９±０．３ｍｍである、
請求項７から１０のいずれか一項に記載の注射器。
【請求項１２】
前記取り付け部（１１０）の遠位端（１１０ｂ）の直径（ｄ）が、３．９００ｍｍから４．０００ｍｍの間である、
請求項７から１１のいずれか一項に記載の注射器。
【請求項１３】
前記プランジャー（４００）の遠位端（４００ｂ）は、挿入状態において、実質的に完全に、前記取り付け部（１１０）の内部スペース（１１２）を占めるように、前記取り付け部（１１０）内に延びる実質的に細長い形状である、
請求項７から１２のいずれか一項に記載の注射器。
【請求項１４】
注射器（１００）と、少なくとも１つの、請求項１から６のいずれか一項に記載の注射針ハブアッセンブリ（２００）とを収納する包装、好ましくは、ハードシェルブリスター包装を有する、
注射器（１００）及び注射針ハブアッセンブリキット。
【発明の詳細な説明】
【技術分野】
【０００１】
本発明は、注射器のような投薬装置の分野に関するものである。そして、本発明は、注射器用の注射針ハブアッセンブリ、とりわけ、医療用途における液体の注射および非医療用途における化学物質の注入に好適な注射針ハブアッセンブリに、特に関係するものである。
【背景技術】
【０００２】
ボツリヌス毒素は、タンパク質であり、またさまざまな美容及び医療行為に使用される神経毒であって、ボトックスという商品名で広く知られている。美容用途においては、ボツリヌス毒素注射は、顔の筋肉を麻痺させて小じわを防止するために使われる。非美容用途においては、ボツリヌス毒素は、過度の不適切な筋収縮、偏頭痛、痙攣（筋収縮の持続的な状態）、括約筋収縮、眼球運動障害、顔面痙攣及び震えを治療するために使用される。
【０００３】
ボツリヌス毒素は、注射針ハブアッセンブリを有する好適な注射器を使用する注射手段によって、患者に投与される。注射針ハブアッセンブリの注射針が、患者の皮膚を通って皮下組織に到達すると、注射筒の内側にあるプランジャーが押され、ボツリヌス毒素が注射針ハブアッセンブリを通って注射器の先端から押し出され、ボツリヌス毒素は注射される。
【発明の概要】
【発明が解決しようとする課題】
【０００４】
ボツリヌス毒素の注射に使用される注射器は、一般的にはＩＳＯ規格に準拠している。そのため、好適な注射針ハブアッセンブリの全ては、好適な注射器の全てに取り付けられてボツリヌス毒素の注射に使用することが出来る。
【０００５】
しかしながら、注射針ハブアッセンブリと注射器は、個々の特定の特性は標準化されているものの、使用される注射針ハブアッセンブリ、および使用される注射器は、注射器内部にある液体が最適に使用されるように設計することは要求されていない。この事は、例えば、注射器に取り付けられた注射針ハブアッセンブリを使用するとき、プランジャーを注射筒の中に完全に挿入した後において、注射器及び／又は注射針アッセンブリの中には、いくらかの量のボツリヌス毒素が残留することを意味する。ボツリヌス毒素は、かなり高価な製品なので、注射器及び／又は注射針ハブアッセンブリの中に残留するボツリヌス毒素を、可能な限り少なくすることが望まれる。
【０００６】
そこで、本発明の目的は、注射器に使用される改善された注射針ハブアッセンブリを提供するものであって、ボツリヌス毒素を患者に投与する際、注射器及び／又は注射針ハブ中の注射液の排出を改善するものである。
【課題を解決するための手段】
【０００７】
この目的を達成するために、本発明の第１態様は、注射器用の注射針ハブアッセンブリに関し、前記アッセンブリは長手軸を備えている。前記注射針ハブアッセンブリは、注射針ハブ本体を備えている。前記注射針ハブ本体の第１端部には、注射器の取り付け部を受容するためのシリンジコネクタを備え、前記注射針ハブ本体の反対側の、第２端部には針受容部を備えている。また注射針ハブアッセンブリは、針受容部から延びる注射針を有していてもよい。前記シリンジコネクタは、少なくともその遠位端に、注射器取り付け部を受容するための、実質的に円錐形の受容開口部を有しても良い。前記長手軸に沿って測った前記受容開口部の長さは、３ｍｍから７ｍｍの間、好ましくはおよそ６．１ｍｍ＋０．０５ｍｍである。
【０００８】
本発明に係る上記の注射針ハブアッセンブリは、関連するＩＳＯ規格つまりＩＳＯ５９１−１を厳密には準拠していない。前記ＩＳＯ規格によれば、前記受容開口部の長さは、前記注射器の取り付け部と前記注射針ハブアッセンブリを適切に係合させるのに十分な長さであるとされている。しかしながら、出願人は、前記受容開口部の長さが上記に示した寸法であれば、注射器と前記注射針ハブアッセンブリが十分に係合されることを発見した。前記係合の程度をさらに強めるために、前記注射針ハブ本体は、使用される前記注射器の素材よりも硬い素材で作られると良い。さらに硬い素材を使用すれば、前記注射針ハブが離脱するリスクはさらに減少する。しかしながら、前記注射針ハブ本体の素材の硬さは、前記注射器の素材と同じ程度でもよい点に留意されたい。上記に示した本発明に係る受容開口部の長さに従えば、前記注射器と前記注射針ハブアッセンブリは、前記注射器を適切に機能させるのに十分な程度に係合される。
【０００９】
本発明による注射針ハブアッセンブリでは、患者にボツリヌス毒素を投与するために、注射器に取り付けられた場合に、注射筒内にプランジャーを完全に押し込むと、注射器及び／又は注射針ハブアッセンブリ内には、前記毒素は、実質的に全く、あるいは、皆無ではないが可能な限り僅かな量しか、残留しない。前記毒素が、注射器内に、全く、あるいは、皆無ではないが可能な限り僅かな量しか残留しないので、コストが大きく削減される。
【００１０】
本発明のさらなる態様に依れば、長手軸を有する注射器が提供される。前記注射器は、ここで開示される注射針ハブアッセンブリを備えていても良い。前記注射器は、その近位端と遠位端の間に、長手軸方向に延びる筒を有しても良い。前記筒は、注射針ハブアッセンブリを取り付けるための取り付け部を有していても良い。更に、前記注射器は、前記筒に摺動可能に取り付けられたプランジャーを有していても良い。前記プランジャーはシーリングエレメントを有している。前記シーリングエレメントは前記プランジャーの遠位端に配置され、少なくとも前記取り付け部の内側に組み付けられるように構成される。前記プランジャーが前記筒の中に完全に押し込まれた時に、前記シリンジコネクタ、前記取り付け部及び前記シーリングエレメントによって囲まれるスペースの体積が、３０μｌ未満となるように、前記シリンジコネクタ、前記取り付け部及び前記シーリングエレメントは互いに組合わされるように構成されている。好ましくは、前記スペースの体積は４μｌから３０μｌの間である。例えば、前記スペースの体積は１４μｌ未満であってもよい。シリンジコネクタ、取り付け部及びシーリングエレメント等の寸法と設計を最適化すれば、これらに囲まれるスペースの体積はゼロに近くなる。上記の注射器を使用すれば、注射をした後に、注射器内に残留するボツリヌス毒素の量は最小になる。出願人は、上記の注射器を用いれば、標準的な注射針ハブアッセンブリを備える標準的な注射器を使用する場合に比べて、ボツリヌス毒素の損失量をおよそ８６％削減できることを発見した。最適な条件の下では、プランジャーを注射筒に完全に押し込んだ後に、前記囲まれたスペース内に残る液体の体積をゼロにできる。
【００１１】
ボツリヌス毒素を用いる治療中に、患者は複数回の注射を受けるので、ここで開示される注射針ハブアッセンブリに、２０Ｇから３５Ｇの注射針、例えば３３Ｇの注射針を使用すれば、患者が受ける注射の傷を最小化することができる。
【００１２】
本発明の実施態様が記載された以下の詳細な説明と、添付された図面を総合すれば、本発明についての上記記載、本発明のその他の特徴、及び本発明の利点が完全に理解されるであろう。なお、前記の図面は、本発明を例示するものであって、本発明を限定するものではない。
【図面の簡単な説明】
【００１３】
【図１】本発明に係る注射針ハブアッセンブリの代表的な概略断面図である。
【図２】図１で示した注射針ハブ本体の概略断面図である。
【図３】図１で示した注射針アブアッセンブリを備える注射器の断面図である。
【発明を実施するための形態】
【００１４】
異なる図面において、同一の又は対応する要素は、同一、又は対応する参照番号を示している点に留意されたい。
【００１５】
図１から図３は、本発明に係る注射針ハブアッセンブリ２００、０よび当該アッセンブリ２００を備える注射器１００の代表的な実施形態を模式的に図示するものである。以下、図１から図３を適宜参照して、開示される注射針ハブアッセンブリ２００を含む注射器１００を一般的な用語で説明する。
【００１６】
開示される本発明に係る注射針ハブアッセンブリ２００は、非医療用途における化学物質の投与、及び医療用途における液体の注射に適した注射器１００と組み合わせて使用されるように構成される。注射針ハブアッセンブリ２００は、例えばボツリヌス毒素を皮下組織に注射することに適している。
【００１７】
注射針ハブアッセンブリ２００は長手中央軸Ｌ１を有する。前記注射針ハブアッセンブリは、注射器１００の取り付け部１１０を受容するためのシリンジコネクタ２１２を有する注射針ハブ本体２１０を有しても良い。シリンジコネクタ２１２は、注射針ハブ本体２１０の第１端部２１０ａに備えられている。注射針ハブ本体２１０の反対側の第２端部２１０ｂには針受容部２１４を備えられても良い。針受容部２１４は、皮下注射針２１６を受容し、保持するように構成されている。注射針２１６は、注射針ハブ本体２１０からハブアッセンブリ２００の長手軸Ｌ１に実質平行な方向に、延びている。図示の実施形態では、注射針２１６は、例えば、３３Ｇｘ１３の注射針２１６であっても良い。好ましくは、２０Ｇから３５Ｇの針が、針受容部２１４に受容される。３３Ｇの注射針２１６は、断面寸法がおよそ０．２ｍｍの非常に細い針である。そのためこの注射針２１６を使う場合、ボツリヌス毒素を特定の組織内に注射をする際の患者の傷は比較的小さい。１回のボツリヌス毒素治療で、患者は、複数回の注射を受ける場合がある。また、前記ボツリヌス毒素治療の効果は減少するので、しばらくして、前記複数の注射を繰り返す必要がある。そのため、このような細い注射針２１６を使用すれば、患者の不快感が減少する。
【００１８】
注射針ハブ本体２１０は、注射器１００の素材よりも硬い素材で作られていても良い。注射針ハブ本体２１０は、例えば、ポリカーボネート製であっても良い。
【００１９】
シリンジコネクタ２１４は、図２において明らかなように実質的に円錐形の受容開口部２１８を有している。受容開口部２１８は、シリンジ取り付け部１１０の少なくとも遠位端１１０ｂを受容するように適合されている。長手軸Ｌ１に沿って測った受容開口部２１８（図２参照）の長さＡは、３ｍｍから７ｍｍであり、図示された実施形態においては、およそ６．１＋０．０５ｍｍである。取り付け部１１０と受容開口部２１８は、入口領域２２０、上面２２２及び上面周囲２２２ａと入口領域の周囲２２０ａにわたる内周壁２２４を有しても良い。内周壁２２４は、入口領域２２０から上面２２２に向かって、先端がおよそ６％細くなるようにしても良い。好ましくは、受容開口部２１８の入口領域２２０は、注射針ハブ本体２１０の最近位端２１０ａにおいて４．３１５-０.０４５ｍｍの断面寸法Ｄを有する。上面２２２の中央部２２２ｂには凸中央部２２６が備えられている。凸中央部２２６は、長手軸Ｌ１に沿って注射針２１６から離れる方向に、およそ０．２ｍｍの幅Ｗだけ上面２２２から延びている。
【００２０】
図３に図示されているように、注射器１００は注射筒３００とプランジャー４００を有していても良い。注射筒３００は、細長い管状の、例えばシリンダジャケット型の部分を有していても良い。注射筒本体３１２は、遠位端３１２ｂと近位端３１２ａの間で、注射器１００の長手軸Ｌ２に沿って延びている。注射筒本体３１２には、プランジャー３００を少なくとも部分的に、摺動及び回転可能に支承できる中央ボア３１４が画成されている。注射筒本体３１２の近位端３１２ａには、２個のフィンガーウィング３１６が備えられても良く、これにより、従来の注射方法において、臨床医が２本の指をフィンガーウィング３１６の遠位側に支持しながら、親指で、長いプランジャー４００を注射筒３００の中央ボア３１４に押し入れることができる。また、例示的な実施形態には示されていないが、注射筒３００はカラーを有していてもよい。注射筒３００とカラーは別々に製造され、組み立て当初から、任意に、着脱自在に接続されてもよい。また、これらは一体的に形成されても良い。注射筒３００と前記カラーは、プラスチック、例えば、射出成形されたポリプロピレンで作られていても良い。フィンガーウィング３１６は、注射筒本体３１２に、前記カラーの取り付けを容易にするのに有用である。注射筒本体３１２の遠位端３１２ｂでは、中央ボア３１４が流体ポート３１８で終端してもよく、流体ポート３１８を通って液体が中央ボア３１４から排出され、及び／又は中央ボア３１４内に吸引される。注射筒本体３１２の遠位端３１２ｂそれ自体は、中空であって先に向かって細くなっていても良く、遠位端３１２ｂは、注射針ハブアッセンブリ２００を遠位端３１２ｂに取り付けるための取り付け部１１０を有しても良い。取り付け部１１０は、図で示すような先端がルアースリップであっても良い。
【００２１】
図示した注射器１００の注射筒本体３１２は透明ではない。しかしながら、別の実施態様においては、例えば筒内にある液体の状態を確認するために、あるいは液体を識別するために、臨床医が中央ボア３１４の中身を視覚的に確認できる程度に、注射筒本体３１２が透明であっても良い。透明な注射筒本体３１２を特徴とする実施形態において、注射筒本体３１２は、体積目盛り、例えばミリリットル単位の体積目盛りを備えていても良い。
【００２２】
プランジャー４００は、シーリングエレメント４１０と把手４２０を有してもよい。好適には、シーリングエレメント４１０は、柔軟で、かつ液体が浸透しない材料で作られて、プランジャー４００の遠位端４００ｂに取り付けられても良い。そして、シーリングエレメント４１０の寸法は、注射筒３００の中央ボア３１４の内壁との間で摺動可能な密封接触を可能とするように決められる。したがって、流体ポート３１８、中央ボア３１４の内壁及びシーリングエレメント４１０は、中央ボア３１４の一部を区画する。区画された中央ボア３１４は、注射器１００によって注射される液体を収容するように構成された流体室として機能する。注射筒３００に対してプランジャー４００を摺動可能にずらすことにより、前記流体室の大きさを変えるようにしても良い。このようにして、前記流体室のサイズを中央ボア３１４のほぼ全体積からほとんどゼロまで変化させることができる。
【００２３】
プランジャー４００の把手４２０がプランジャー４００の近位端４００ａに備えられても良い。把手４２０は、その近位端４００ａで、指又は親指のための支持面４２２を提供する。
【００２４】
プランジャー４００を注射筒３００に対して相対的に長手軸に摺動動作させることによって流体室の体積が増減される。そのため、中央ボア３１４への液体の吸引、および、中央ボア３１４からの液体の排出が可能になる。
【００２５】
シリンジコネクタ２１８、取り付け部１１０及びシーリングエレメント４１０は、互いに組合わされて、プランジャー４００を注射筒３００に完全に滑り入れた時に、シリンジコネクタ２１８、取り付け部１１０及びシーリングエレメント４１０で囲まれるスペース５００の体積が、３０μｌ未満になるように構成される。スペース５００は４μｌから３０μｌの間、例えばおよそ１４μｌ未満とするのが好ましい。そして、プランジャー４００の遠位端４００ｂは、実質的に細長い形状を有していて、取り付け部１１０を通って延びている。そのため、プランジャー４００の遠位端４００ｂが挿入位置にある場合、取り付け部１１０の内部スペース１１２は、プランジャー４００の遠位端４００ｂによって、実質的に完全に占拠される。その結果、注射針ハブアッセンブリ２００を有する注射器１００に依れば、デッドスペースが実質的にゼロとなる投薬装置が提供され、該投薬装置に依れば、ボツリヌス毒素を注射する際にいつも発生する前記毒素の損失を最小化することが可能になる。注射針ハブ本体２１０の素材、すなわち、ポリカーボネートは、注射器１００の素材、すなわち、ポリプロピレンより硬いので、取り付け部１１０から注射針ハブ本体２１０が分離することが予防される。取り付け部１１０の長さｌは、少なくとも７．５ｍｍ、好ましくは、９±０．３ｍｍであれば良い。取り付け部１１０の遠位端１１０ｂの直径ｄは、およそ３．９００ｍｍから４．０００ｍｍである。
【００２６】
注射器１００は、キット、例えばハードシェルブリスター包装のような包装を備える殺菌されたキットの一部であっても良い。かかる包装には、１本の注射器１００と、上記の例示的な実施形態に係る注射針ハブアッセンブリ−が少なくとも１個含まれる。
【００２７】
上記において、部分的に図面を参照して、本発明の実例となる実施態様を説明したが、本発明の実例となる実施態様は、部分的に図面を参照して、上記に説明したが、本発明は、これらの実施態様に限定されないことを理解しなければならない。本実施態様では、ボツリヌス毒素を注射するために使用される、注射器用の注射針ハブアッセンブリの使用を説明してきた。しかしながら、本発明による、注射器用の注射針ハブアッセンブリ及び、かかる注射針ハブアッセンブリを有する注射器は、他の流体を注射する際にも有益であって、そのために使用される。上記の図面、上記の開示事項、及び添付された請求の範囲を検討することによって、当業者は、請求の範囲に記載された発明を実施するに際して、上記に開示された実施形態の変形例を理解し実施することができる。本明細書において「一実施形態」又は「実施形態」と言う場合、それは、上記実施形態に少なくとも一つに含まれていることを意味する。したがって、本明細書の全体を通じて、様々な箇所で出現する「一実施形態において」又は「実施形態において」と言う語句は、全てが同一の実施形態について言及している訳ではない。また、新規の、明示されていない方法によって、１以上の実施形態に固有の特徴、構成又は特性は、組み合わせることができる。
【００２８】
（付記）
（付記１）
注射針ハブ本体（２１０）であって、当該本体（２１０）の第１端部（２１０ａ）に注射器（１００）の取り付け部（１１０）を受容するためのシンリジコネクタ（２１２）を有するとともに、当該本体（２１０）の反対側の第２端部（２１０ｂ）に注射針受容部（２１４）を有する、注射針ハブ本体（２１０）と、
前記注射針受容部（２１４）から延びる注射針（２１６）と、
を備える、長手軸（Ｌ１）を有する、注射器（１００）用の注射針ハブアッセンブリ（２００）であって、
前記シリンジコネクタ（２１２）は、少なくともその遠位端（１１０ｂ）に、注射器の取り付け部（１１０）を受容するための実質的に円錐形状の受容開口部（２１８）を有するとともに、前記長手軸（Ｌ１）に沿って測った前記開口部（２１８）の長さ（Ａ）は、３ｍｍから７ｍｍの間、例えば、およそ６．１＋０．０５ｍｍである、
注射針ハブアッセンブリ（２００）。
【００２９】
（付記２）
前記シリンジコネクタ（２１２）の受容開口部（２１８）の上面（２２２）は、前記長手軸（Ｌ１）に沿って、前記注射針（２１６）から離れる方向に、前記上面（２２２）からおよそ０．２ｍｍ延びる凸中央部（２２６）を有する、
付記１に記載の注射針ハブアッセンブリ（２００）。
【００３０】
（付記３）
前記受容開口部（２１８）の入口領域（２２０）は、およそ４．３１５ｍｍから０．０４５ｍｍの断面寸法（Ｄ）を有する、
付記１または２に記載の注射針ハブアッセンブリ（２００）。
【００３１】
（付記４）
入口領域周囲（２２０ａ）と上面周囲の間（２２２ａ）にわたる前記受容開口部（２１８）の内周壁（２２４）は、入口領域（２２０）から上面（２２２）に向かって６％細くなっている、
付記１から３のいずれか一項に記載の注射針ハブアッセンブリ。
【００３２】
（付記５）
前記シリンジコネクタ（２１２）は、６％のルアーテーパーを有する、
付記１から４のいずれか一項に記載の注射針ハブアッセンブリ（２００）。
【００３３】
（付記６）
前記注射針は、２０Ｇから３５Ｇの一つ、例えば、３３Ｇｘ１３ｍｍ（２１６）である、
付記１から５のいずれか一項に記載の注射針ハブアッセンブリ（２００）。
【００３４】
（付記７）
前記注射器（１００）の近位端（１００ａ）と遠位端（１００ｂ）の間を長手軸方向に延びる注射筒（３００）であって、前記注射針ハブアッセンブリ（２００）を取り付けるための取り付け部（１１０）を備える、注射筒（３００）と、
前記注射筒（３００）内に摺動可能に受容されるプランジャー（４００）であって、当該プランジャー（４００）の遠位端（４００ｂ）に配置されるとともに、少なくとも前記取り付け部（１１０）の内側（１１２）に組み付けられるように構成されたシーリングエレメント（４１０）を備える、プランジャー（４００）と、を備え、
前記シリンジコネクタ（２１２）、前記取り付け部（１１０）及び前記シーリングエレメント（４１０）は、互いに組合わされて、前記プランジャー（４００）が、前記注射筒（３００）に完全に挿入されたとき、前記シリンジコネクタ（２１２）、前記取り付け部（１１０）及び前記シーリングエレメント（４１０）によって囲まれるスペース（５００）が、３０μｌ未満の体積になるように構成された、
付記１から６のいずれか一項に記載の注射針ハブアッセンブリ（２００）を備える、長手軸（Ｌ２）を有する注射器（１００）。
【００３５】
（付記８）
前記スペース（５００）が、４μｌから３０μｌの間、例えば１４μｌの体積を有する、
付記７に記載の注射器。
【００３６】
（付記９）
前記注射針ハブ本体（２１０）の素材は、前記注射器（１００）の素材、少なくとも、前記注射器（１００）の取り付け部（１１０）の素材よりも高い硬さを有する、
付記７または８に記載の注射器。
【００３７】
（付記１０）
前記注射器（１００）、又は少なくとも前記注射器（１００）の取り付け部（１１０）は、ポリプロピレン製であり、前記注射針ハブ本体（２１０）は、ポリカーボネート製である、
付記７から９のいずれか一項に記載の注射器。
【００３８】
（付記１１）
前記取り付け部（１１０）の長さ（ｌ）は、少なくとも、７．５ｍｍ、好ましくは、９±０．３ｍｍである、
付記７から１０のいずれか一項に記載の注射器。
【００３９】
（付記１２）
前記取り付け部（１１０）の遠位端（１１０ｂ）の直径（ｄ）が、３．９００ｍｍから４．０００ｍｍの間である、
付記７から１１のいずれか一項に記載の注射器。
【００４０】
（付記１３）
前記プランジャー（４００）の遠位端（４００ｂ）は、挿入状態において、実質的に完全に、前記取り付け部（１１０）の内部スペース（１１２）を占めるように、前記取り付け部（１１０）内に延びる実質的に細長い形状である、
付記７から１２のいずれか一項に記載の注射器。
【００４１】
（付記１４）
注射器（１００）と、少なくとも１つの、付記１から６のいずれか一項に記載の注射針ハブアッセンブリ（２００）とを収納する包装、好ましくは、ハードシェルブリスター包装を有する、
注射器（１００）及び注射針ハブアッセンブリキット。
【図１】
2016539765.tif 000003
【図２】
2016539765.tif 000004
【図３】
2016539765.tif 000005
【国際調査報告】
2016539765.tif 000006
2016539765.tif 000007
2016539765.tif 000008
2016539765.tif 000009